(57)【要約】【目的】  本発明は、静水状態の水深の比較的浅い湖、沼、用水堀、お濠、池等の水質浄化方法及び装置に関するもので、接触酸化装置による生物処理と処理水を活用した水循環をネットの敷設によりヘドロの巻き上げを抑制しながら高効率で行うことにある。【構成】  静水状態の湖沼や池におけるヘドロ巻き上り抑制設備を併用した水質浄化方法において、比較的浅い水域の水深の最下部に堆積したヘドロと水の境にネット(1)を敷設し、ヘドロ(13)の巻き上りによる水質の富栄養化を抑制し、その水深上部に生物処理用の接触酸化装置(3)又は水中型接触酸化装置(3′)を設けて水域の緩やかな水循環を行いながら水質を効率よく浄化するようにした構成。【選択図】      図１
2012176365.tif 000002
【特許請求の範囲】
【請求項１】
比較的浅い水域の水深の最下部に堆積したヘドロと水の境にネット(1)を敷設し、ヘド
ロの巻き上りによる水質の富栄養化を抑制し、その水深上部に生物処理用の接触酸化装置
(3)又は水中型接触酸化装置(3′)を設けて水域の緩やかな水循環を行いながら水質を効率
よく浄化することを特徴とする静水状態の湖沼や池におけるヘドロ巻き上り抑制設備を併
用した水質浄化方法。
【請求項２】
比較的浅い水域の水深の最下部に堆積したヘドロと水の境にネット(1)を敷設し、その
ネットの平面上の中央部に生物処理用の接触酸化装置(3)又は水中型接触酸化装置(3′)を
設置し、当該接触酸化装置の近傍の周囲に複数の水循環装置(6)を設置し、且つ当該ネッ
ト平面の略全域にわたって複数の短い金属棒製の重りを分散して載置し、ネット(1)の縁
辺に沿って間隔をあけてアンカー(10)を打ち込んでなることを特徴とする静水状態の湖沼
や池におけるヘドロ巻き上り抑制設備を併用した水質浄化装置。
【発明の詳細な説明】
【技術分野】
【０００１】
本発明は、ヘドロの堆積した水深の比較的浅い湖沼や池におけるヘドロの巻き上り抑制
設備を併用した水質浄化方法及び装置に関するもので、すでに堆積したヘドロの巻き上り
による汚濁を抑制し、その水域の浄化ができるようにしたものである。
【背景技術】
【０００２】
上記の水深の比較的浅い静水状態の水域における汚濁を防ぐのに、流入する栄養分と蓄
積されたヘドロから溶出する栄養分の両方を対象にする必要があった。ヘドロからの影響
を除去するため、浚渫や開堀、薬剤散布等も行われてきた。浚渫や開堀は悪臭の発生やヘ
ドロの処理場、高コストであるなどの問題を抱え、薬剤散布は水域の生態系破壊を招く危
険性をはらんでいる。
【０００３】
従来、液中への酸素の溶解効率を高めることができ、溶存酸素濃度を十分に上昇させる
ことができる酸素溶解装置を提供する発明（特許文献１）や、建設や維持に要する費用を
削減することができる水質浄化装置を提供するもの（特許文献２）は知られている。
【先行技術文献】
【特許文献】
【０００４】
【特許文献１】特開２０００−１４０８８１号公開公報
【特許文献２】特開２００６−１０２７０１号公開公報
【０００５】
上記の特許文献１は、液中への酸素の供給を効率良く行うことができ、好気性水処理装
置に適用することにより、十分な溶損存酸素濃度で効率のよい水処理を行うことができる
としている。また、特許文献２は、本装置における、初段槽、次段槽、連通口及び本活性
剤により簡単に構成することができ、建設や維持に要する費用を抑えることができること
に加え、本活性剤を用いて高効率に水質浄化を行うことができる。これらは、いずれも水
質浄化を図るものとしている。
【発明の概要】
【発明が解決しようとする課題】
【０００６】
上記静水状態の湖・沼・用水堀・お濠・池等において、例えば春から夏にかけて水温が
上昇して高温になると、その水中に緑藻類や珪躁類、さらにはアオコが発生して緑色に濁
ることが往々にしてある。この状態が長く続くと単細胞藻類が盛んに繁殖しだし、景観上
も水辺特有の清浄感が無くなり、腐敗臭がしたり、やがて酸素欠乏の状態になって、魚が
浮きあがったりして環境衛生的にも好ましくない。下水道の発達とともに水域に流入する
栄養分はかなり改善されているが、これまで蓄積されたヘドロは高い栄養分を含んでおり
、そこからの溶出で上記状態の改善には至っていない。
【課題を解決するための手段】
【０００７】
本発明は上記の課題を解決し、且つ発明の目的を達成するために提供するものである。
【０００８】
本発明の第１は、静水状態の湖沼や池におけるヘドロ巻き上り抑制設備を併用した水質
浄化方法において、水深の比較的浅い水域の水中の水深最下部にネットを敷設し、堆積し
たヘドロと水の間に境界をつくり、水の流れによるヘドロの巻き上りを防ぎ、水質への栄
養分の溶出を抑制する。静水状態な水域に循環流をつくり浄化を進めても水流でヘドロの
巻き上りがないよう抑制するものである。
【０００９】
本発明の第２は、ヘドロ巻き上り抑制設備を併用した水質浄化装置において、比較的浅
い水域の水深の最下部に堆積したヘドロと水の境にネットを敷設し、そのネットの平面上
の中央部に生物処理用の接触酸化装置又は水中型接触酸化装置を設置し、当該接触酸化装
置の近傍の周囲に複数の水循環装置を設置し、且つ当該ネット平面の略全域にわたって複
数の短い金属棒製の重りを分散して載置し、ネットの縁辺に沿って間隔をあけてアンカー
を打ち込んでなるものである。
【発明の効果】
【００１０】
本発明は上記の構成であるから、ネットによって静水域における最下層からヘドロの巻
き上りによる過度の栄養分の溶出を抑制し、水域に緩やかな水循環を起こしてもヘドロの
影響を最小限に抑える事を可能とする。さらに接触酸化装置で生物処理により栄養分を分
解し、処理した水で水域を循環させ動物プランクトンから魚類までを活性化して水質を改
善する事ができる。水質は悪臭が無くなり、藻類の発生も抑えられ、澄んだ水域へと変化
していく。水質が改善されることでネットの上に堆積するヘドロは微量となり、ネットの
効果は長期間持続することとなる。
【００１１】
また、ネットの浮き上がり防止に撒く鉄筋棒から溶出する鉄イオンは水中のリン酸と結
合し、リン酸鉄を形成して沈殿する。鉄筋棒は重りとしてだけではなく、水中からリン分
を除去し水質浄化にも効果を発揮する。
【００１２】
さらに、ネットの材質にかかわらずネット面に着床性の珪藻類が発生し、栄養分を吸収
する。ヘドロから溶出する栄養分の消費、分解にも効果を発揮し、ヘドロの表面を改善す
る効果も大きい。藻類の基盤工としての効果もある。
しかも、本発明に係る方法及び装置は、他の接触酸化による浄化装置と併用することも
できる。
【図面の簡単な説明】
【００１３】
【図１】本発明装置に係る浮島型の平面図である。
【図２】本発明装置に係る浮島型の概略正面図である。
【図３】本発明装置に係る水中型の平面図である。
【図４】本発明装置に係る水中型の概略正面図である。
【図５】本発明装置に係る敷設用ネットの応用型の平面図である。
【図６】本発明装置に係る応用型ネットの概略正面図である。
【図７】図５の一部を拡大した斜視図である。
【発明を実施するための形態】
【００１４】
本発明に係る水質浄化方法は、まず、生物処理用の接触酸化装置におけるポンプ室の駆
動開始により、水取り込み口から中に入り込んだ水は接触酸化室で生物処理して栄養分を
分解する。生物処理された水はポンプ室からデリバリーホースを通って水循環装置から外
部に排出され水に緩やかな循環流を発生させる。水を循環させる水域は水中の最下部にネ
ットを敷設し、ヘドロ巻き上り抑制を行うため、過度な栄養分の溶出を抑えた状態で効率
よく接触酸化が機能する。
【実施例】
【００１５】
上記の手段に基づく実施例は以下のとおりである。図1〜図４において、１、１′はネ
ットであり、合成繊維、天然繊維、金属繊維の他、穴の空いた金属板が使用できる。２は
浮島型接触酸化装置の水取込口、２′は水中型接触酸化装置の水取込口を示す。３は生
物処理用の浮島型接触酸化装置、３′は水中型接触酸化装置を示す。４は浮島型接触酸
化装置のポンプ室であり、当該接触酸化装置で生物処理した水を排出するようになってい
る。４′は水中型接触酸化装置のポンプ室である。５は生物処理された水をポンプ室４（
又は４′）と水循環装置とを接続するデリバリーホース、６は水循環装置であり、ポンプ
室４、４′とデリバリーホース５で連結され、水域に緩やかな水循環を形成する。上記の
水循環装置６は、放水ノズルと架台からなり、水中で自立しポンプ室からの処理水を放出
する。
【００１６】
７はアンカーであり、浮島型接触酸化装置３をワイヤーを介してヘドロ層に打ち込んで
水中に浮かせたまま係留するようになっている８は重りであり、ネット１をヘドロ面に展
開して敷設するに当たって水域に水がある場合は水面に浮かせながら展開し、展開完了
後、片側の端の部分に設置し、ネット1を沈めたときに移動しないようにしてある。上記
の重り８は、取扱いやすい長さに切断した鉄筋棒１１とし、これをヘドロ面の上に敷設し
たネット１の上に撒きながら空気と魚類等を逃がすように沈めていくようにしてある。９
は水中型接触酸化装置３′を水中において固定する架台である。１０は敷設したネット１
の四辺に打ち込んで、重り８と共に敷設したネット１の安定化を図るアンカーバーであ
る。図５〜図７において、１２はネット１′に縫着又は針金等で止着した袋体であり、そ
の内部に鉄材を詰めて重りとするものである。図中１３はヘドロ、１４はネットの縁、
１５はネット同士の結束用孔を示す。
【００１７】
「具体的な設置例」
（１）まず、敷設する水域に水がある場合は、保管や搬送のために折り畳んである広面
積のネット１を水面に浮かせるようにして展開する。
（２）ネット１の敷設にあたっては、当該ネットの比重が軽いものには重８を付けて安
定
させるものとする。
（３）ネット１を水面に浮かせて展開した後、そのネットの片側の端の部分に重り８を
設置しネット1を沈め、予め扱いやすい長さに切断した鉄筋棒１１を重りとしてネット
の上に撒きながら空気と魚類等を逃がすように沈めていく。
（４）そして、ネット１の各縁辺には重り８を載置してネットが移動しないように安定
化させる。
（５）開堀した状態での敷設では、ヘドロの上にネット1を展開した後、四辺に重り
８を置いて安定させ、鉄筋棒１１をネット1に満遍なく撒いた状態で載置して浮き上
がり防止とする。
（６）浮島型接触酸化装置３を水中に入れて、ワイヤー及びアンカーを介して設置
する。
（７）また、複数の水循環装置６を浮島型接触酸化装置３の周囲に設置し、デリバリー
ホース５で浮島型接触酸化装置３のポンプ４と水循環装置６を接続する。
【００１８】
「具体的な工程例」
（１）生物処理用の浮島型接触酸化装置３（又は水中型接触酸化装置３′）のポンプ室
４（又は４′）の駆動開始により、水取込口２（又は′）から入った水は接触酸化室３
（３′）で生物処理して栄養分を分解する。
（２）生物処理された水は、ポンプ室４（又は４′）からデリバリーホース５を通って
水循環装置６から排出され水に緩やかな循環流を発生させる。
（３）水を循環させる水域は、水中の最下部に敷設したネット1（又は１′）により、
ヘドロ巻き上り抑制を行うため、過度な栄養分の溶出を抑えた状態で効率よく接触酸化が
機能する。
【００１９】
「具体的な使用例」
生物処理用の接触酸化装置３（又は３′）のポンプ室４（又は４′）の駆動開始により
、
水取込口２（又は２′）から入った水は接触酸化室３（又は３′）で生物処理し栄養分を
分解する。生物処理された水はポンプ室４（又は４′）からデリバリーホース５を通って
水循環装置６から排出され水に緩やかな循環流を発生させる。水を循環させる水域は水中
の最下部にネット1（又は′）を敷設し、ヘドロ巻き上り抑制を行うため、過度な栄養分
の溶出を抑えた状態で効率よく接触酸化が機能する。
【符号の説明】
【００２０】
１、１′……ネット
２……浮島型接触酸化装置の水取込口
２′ ……水中型接触酸化装置の水取込口
３……浮島型接触酸化装置
３′……水中型接触酸化装置
４……浮島型接触酸化装置のポンプ
４′……水中型接触酸化装置のポンプ
５……デリバリーホース
６……水循環装置
７……アンカー
８……重り
９……架台
１０……アンカーバー
１１……鉄筋棒
１２……袋
１３……ヘドロ
１４……ネットの縁
１５……結束用孔
【図１】
2012176365.tif 000003
【図２】
2012176365.tif 000004
【図３】
2012176365.tif 000005
【図４】
2012176365.tif 000006
【図５】
2012176365.tif 000007
【図６】
2012176365.tif 000008
【図７】
2012176365.tif 000009